(57)【要約】【課題】肉体的苦痛や精神的苦痛をできるだけ伴わないようにして、自然に肢体機能の向上ができるようにし、肢体機能の回復効率の向上を図る。【解決手段】肢体機能訓練者が肢体の運動をさせながら視認する視認面２を有する視認体１を備え、この視認体１を、肢体機能訓練者が運動しようとする肢体に装着可能に肢体に密着して被覆される袋状に形成し、視認面２に、同じ面積の正方形が行列状に列設されるとともに該各正方形が隣接する正方形とは異なる白色及び黒色のいずれか一方の色に着色された網目状模様３を付した。【選択図】　図１
2004033649.tif 000002
【特許請求の範囲】
【請求項１】
肢体機能訓練者が肢体の運動をさせながら視認する視認面を有する視認体を備え、上記視認体を、肢体機能訓練者が運動しようとする肢体に装着可能に形成し、該視認体の視認面に、図形が規則的に列設されるとともに該各図形が規則的に色分けされた網目状模様を付したことを特徴とする肢体機能訓練装置。
【請求項２】
上記視認体を肢体に密着して被覆される袋状に形成したことを特徴とする請求項１記載の肢体機能訓練装置。
【請求項３】
上記視認体の視認面に、同じ面積の正方形が行列状に列設されるとともに該各正方形が隣接する正方形とは異なる白色及び黒色のいずれか一方の色に着色された網目状模様を付したことを特徴とする請求項１または２記載の肢体機能訓練装置。
【請求項４】
上記正方形の一辺の寸法Ｓを、５ｍｍ≦Ｓ≦１００ｍｍにしたことを特徴とする請求項３記載の肢体機能訓練装置。
【請求項５】
上記正方形の一辺の寸法Ｓを、１０ｍｍ≦Ｓ≦３０ｍｍにしたことを特徴とする請求項４記載の肢体機能訓練装置。
【請求項６】
肢体機能訓練者が運動させる肢体に装着可能に形成され該肢体機能訓練者が視認可能な視認面を有する視認体の該視認面に図形が規則的に列設されるとともに該各図形が規則的に色分けされた網目状模様を付した肢体機能訓練装置を用い、肢体機能訓練者の運動させる肢体に該装置を装着し上記視認面の網目状模様を視認しながら当該肢体を運動させるようにしたことを特徴とする肢体機能訓練方法。
【請求項７】
肢体機能訓練者が運動させる肢体に装着可能に形成され該肢体機能訓練者が視認可能な視認面を有する視認体の該視認面に同じ面積の正方形が行列状に列設されるとともに該各正方形が隣接する正方形とは異なる白色及び黒色のいずれか一方の色に着色された網目状模様を付した肢体機能訓練装置を用い、肢体機能訓練者の運動させる肢体に該装置を装着し上記視認面の網目状模様を視認しながら当該肢体を運動させるようにしたことを特徴とする肢体機能訓練方法。
【発明の詳細な説明】
【０００１】
【発明の属する技術分野】
本発明は、例えば、老化，疾病，事故等で上肢や下肢の肢体機能に障害のある人を対象として、その肢体機能の回復訓練を行なうための肢体機能訓練装置及び肢体機能訓練方法に関する。
【０００２】
【従来の技術】
一般に、老化，脳梗塞や脳卒中等による脳障害，パーキンソン病，交通事故による損傷あるいはその他の原因で、肢体を動かすことが困難になっている人は数多く存在するが、これらの人は、肢体機能の回復や向上を図る場合に、所謂リハビリテーションといわれる種々の訓練を行なう。例えば、下肢の場合、理学療法によるもの、付添や種々の機械的訓練器の手助けのもとに行なう歩行訓練等がある。
【０００３】
【発明が解決しようとする課題】
ところで、このような所謂リハビリテーションといわれる種々の訓練においては、一般に、筋力トレーニングが中心になってしまって肉体的苦痛が生じたり、あるいは精神的苦痛を伴ったりする場合が多く、必ずしも、効率の良い回復が達成できていないという実情がある。
本発明は上記の問題点に鑑みて為されたもので、肉体的苦痛や精神的苦痛をできるだけ伴わないようにして、自然に肢体機能の向上ができるようにし、肢体機能の回復効率の向上を図った肢体機能訓練装置及び肢体機能訓練方法を提供することを目的とする。
【０００４】
【課題を解決するための手段】
このような目的を達成するための本発明の肢体機能訓練装置は、肢体機能訓練者が肢体の運動をさせながら視認する視認面を有する視認体を備え、上記視認体を、肢体機能訓練者が運動しようとする肢体に装着可能に形成し、該視認体の視認面に、図形が規則的に列設されるとともに該各図形が規則的に色分けされた網目状模様を付した構成としている。
また、本発明の肢体機能訓練装置は、必要に応じ、上記視認体の視認面に、同じ面積の正方形が行列状に列設されるとともに該各正方形が隣接する正方形とは異なる白色及び黒色のいずれか一方の色に着色された網目状模様を付した構成としている。
【０００５】
この肢体機能訓練装置を用いて肢体機能訓練を行なうときは、本装置を運動させようとする上肢や下肢等の肢体に装着する。この状態で、肢体機能訓練者は、上肢や下肢等の肢体を曲げ，上下させ，回転させたりする等の運動を行なうようにする。この場合、視認面の網目状模様を視認させながら運動するようにする。
これにより、肢体機能の回復が促進させられ、例えば、手足を動かせない人が動かせるようになったり、今までよりも数倍の速さで手足を動かすことができるようになる等の効果が現れる。これは、色が互い違いに異なる網目状模様を視認すると、視覚を通じて特有の刺激が脳に生じる視覚系フィードバックに起因し、運動させる肢体に関する脳からの指令が活発化させられ、積極的に手足を動かそうとする意志が増加し、これが、肢体機能に良好な作用をもたらすものと考えられる。
【０００６】
その結果、肉体的苦痛や精神的苦痛をできるだけ伴わないようにして、自然に肢体機能を向上させることができ、肢体機能の回復効率の向上を図ることができる。この場合、視認面の網目状模様を視認しながら運動するようにするだけなので、肉体的苦痛や精神的苦痛をできるだけ伴わないようにして、自然に肢体機能を向上させることができ、肢体機能の回復効率の向上を図ることができる。この際、各正方形が隣接する正方形とは異なる白色及び黒色のいずれか一方の色に着色されている場合には、確実に肢体機能に良好な作用がもたらされる。
【０００７】
そして、必要に応じ、上記視認体を肢体に密着して被覆される袋状に形成した構成としている。袋状なので、装着が容易で、容易に脱落することが防止される。
【０００８】
また、必要に応じ、上記正方形の一辺の寸法Ｓを、５ｍｍ≦Ｓ≦１００ｍｍにした構成としている。望ましくは、上記正方形の一辺の寸法Ｓを、１０ｍｍ≦Ｓ≦３０ｍｍにしたことが有効である。この大きさの範囲で、確実に肢体機能に良好な作用がもたらされる。
【０００９】
また、上記の目的を達成するための本発明の肢体機能訓練方法は、肢体機能訓練者が運動させる肢体に装着可能に形成され該肢体機能訓練者が視認可能な視認面を有する視認体の該視認面に図形が規則的に列設されるとともに該各図形が規則的に色分けされた網目状模様を付した肢体機能訓練装置を用い、肢体機能訓練者の運動させる肢体に該装置を装着し上記視認面の網目状模様を視認しながら当該肢体を運動させるようにした構成としている。
そしてまた、肢体機能訓練者が運動させる肢体に装着可能に形成され該肢体機能訓練者が視認可能な視認面を有する視認体の該視認面に同じ面積の正方形が行列状に列設されるとともに該各正方形が隣接する正方形とは異なる白色及び黒色のいずれか一方の色に着色された網目状模様を付した肢体機能訓練装置を用い、肢体機能訓練者の運動させる肢体に該装置を装着し上記視認面の網目状模様を視認しながら当該肢体を運動させるようにした構成としている。
【００１０】
この肢体機能訓練方法では、本装置を上肢や下肢に装着して上肢や下肢を曲げ，上下させ，回転させたりする等の運動を行なわせるとともに、視認面の網目状模様を視認しながら運動させるようにする。これにより、肢体機能の回復が促進させられ、例えば、上肢を動かすことができなかった人が動かすことができるようになったり、今までよりも数倍の速さで運動できるようになる等の効果が現れる。これは、色が互い違いに異なる網目状模様を視認すると、視覚を通じて特有の刺激が脳に生じる視覚系フィードバックに起因し、運動させる肢体に関する脳からの指令が活発化させられ、積極的に肢体を動かそうとする意志が増加し、これが、肢体機能に良好な作用をもたらすものと考えられる。
【００１１】
【発明の実施の形態】
以下、添付図面に基づいて、本発明の実施の形態に係る肢体機能訓練装置及び肢体機能訓練方法について詳細に説明する。尚、本発明の実施の形態に係る肢体機能訓練方法は、本発明の実施の形態に係る肢体機能訓練装置を用いて実現されるので、実施の形態に係る肢体機能訓練装置の作用の説明で説明する。
【００１２】
図１及び図２には、本発明の実施の形態に係る第一及び第二の肢体機能訓練装置Ｋａ，Ｋｂを示している。
第一の肢体機能訓練装置Ｋａは、肢体機能訓練者が運動しようとする肢体としての上肢に装着可能に形成され、肢体機能訓練者が肢体の運動をさせながら視認する視認面２を有する視認体１を備えている。詳しくは、視認体１は、上肢に密着して被覆される袋状、即ち、手の先から上腕にまで延びる長い手袋状に形成されている。材質は、例えば、布，ゴム，樹脂シート等の適宜の材質のものが用いられる。
【００１３】
また、視認体１の視認面２には、図形が規則的に列設されるとともに各図形が規則的に色分けされた網目状模様３が付されている。詳しくは、視認面２には、同じ面積の正方形が行列状に列設されるとともに各正方形が隣接する正方形とは異なる白色及び黒色のいずれか一方の色に着色された碁盤目状の網目状模様３（所謂「市松模様」とも言う）が付されている。
図２に示すように、正方形の一辺の寸法Ｓは、５ｍｍ≦Ｓ≦１００ｍｍ、望ましくは、１０ｍｍ≦Ｓ≦３０ｍｍに設定されている。実施の形態では、Ｓ＝１０ｍｍに設定されている。
【００１４】
従って、この実施の形態に係る肢体機能訓練装置Ｋａを使用して肢体機能訓練としての上肢機能訓練を行なうときは、先ず、本装置Ｋａを手袋をはめるように上肢に被覆する。
この状態で、図３に示すように、上肢を曲げ，上下させ，回転させる等の運動を行なう。この際には、肢体機能訓練者は、視認面２の網目状模様３を視認しながら運動するようにする。これにより、色が互い違いに異なる網目状模様３を視認すると、視覚を通じて特有の刺激が脳に生じる視覚系フィードバックに起因して、上肢運動に関する脳からの指令が活発化させられ、積極的に上肢を運動させようとする意志が増加する等の考えられる理由により、上肢運動機能の回復が促進させられ、例えば、上肢を動かすことができなかった人が動かすことができるようになったり、今までよりも数倍の速さで運動できるようになる等の効果が現れる。この際、各正方形が隣接する正方形とは異なる白色及び黒色のいずれか一方の色に着色されていることにより、確実に上肢機能に良好な作用がもたらされる。
【００１５】
また、本発明の第二の実施の形態に係る肢体機能訓練装置Ｋｂは、肢体機能訓練者が運動しようとする肢体としての下肢に装着可能に形成されている。詳しくは、視認体１は、下肢に密着して被覆される袋状、即ち、足の爪先から股にまで延びる長い靴下状に形成されている。材質は、例えば、布，ゴム，樹脂シート等の適宜の材質のものが用いられる。
【００１６】
そして、視認体１の視認面２には、上記第一の実施の形態と同様の碁盤目状の網目状模様３（所謂「市松模様」とも言う）が付されている。即ち、視認体１の視認面２には、図形が規則的に列設されるとともに各図形が規則的に色分けされた網目状模様３が付されている。詳しくは、視認面２には、同じ面積の正方形が行列状に列設されるとともに各正方形が隣接する正方形とは異なる白色及び黒色のいずれか一方の色に着色された碁盤目状の網目状模様３が付されている。
図２に示すように、正方形の一辺の寸法Ｓは、５ｍｍ≦Ｓ≦１００ｍｍ、望ましくは、１０ｍｍ≦Ｓ≦３０ｍｍに設定されている。実施の形態では、Ｓ＝１０ｍｍに設定されている。
【００１７】
従って、この実施の形態に係る肢体機能訓練装置Ｋｂを使用して肢体機能訓練としての下肢機能訓練を行なうときは、先ず、本装置Ｋｂを靴下をはめるように下肢に被覆する。
この状態で、下肢を曲げ，上下させ，回転させたり、あるいは、歩行したりする等の運動を行なう。この際には、肢体機能訓練者は、視認面２の網目状模様３を視認しながら運動するようにする。これにより、色が互い違いに異なる網目状模様３を視認すると、視覚を通じて特有の刺激が脳に生じる視覚系フィードバックに起因して、下肢運動に関する脳からの指令が活発化させられ、積極的に下肢を運動させようとする意志が増加する等の考えられる理由により、下肢運動機能の回復が促進させられ、例えば、下肢を動かすことができなかった人が動かすことができるようになったり、歩けなかった人が歩けるようになったり、今までよりも数倍の速さで歩行できるようになる等の効果が現れる。この際、各正方形が隣接する正方形とは異なる白色及び黒色のいずれか一方の色に着色されていることにより、確実に下肢機能に良好な作用がもたらされる。
【００１８】
【試験例】
次に、上記の実施の形態に係る肢体機能訓練装置Ｋａ，Ｋｂを用いて試験を行なった場合について説明する。
脳卒中で四肢に麻痺がある数十人の患者に対し、肢体機能訓練装置Ｋａ，Ｋｂを用いて手足の訓練試験を行なった。一般に、脳卒中を起こし、一命を取りとめた後は治癒に向かい、発症前の体に戻ることが期待されるが、残念ながら脳卒中の場合は、「麻痺」がそれを許さない。６０歳代から発症のピークを迎えるこの病気は、余命１０年以上も本人に麻痺を持った生活を強いることになる。現代のリハビリテーション医学では、麻痺そのものをなくそうという発想ではなく、本人にまだ宿っている能力を引き出し、環境を改善していこうという努力が展開されているのが現状である。
【００１９】
試験は、以下のように行なった。実施の形態と同様の模様を付した手袋状の肢体機能訓練装置を麻痺した側の手足につけ、それが自分の手足であることを本人が眼でよく見ることにより、まず認識させる。それから、手足の上げ下げ、しいては手足の指の折り曲げなどを行なう。通常、麻痺した手足を無理して動かしたりすると痛みを伴い、患者に苦痛を伴わせるが、この方法は痛みを伴わず、自分の手足が動いていることを感じる。
【００２０】
結果は、６０〜７０％は、手袋状の本装置を外してから、自ら手足を動かすことができ、元どおりに戻るか、大幅な改善が見られた。
この際、発症して安定期に入ってからすぐにこの訓練法を行なった場合には予後が良いことがわかった。安定期に従来のリハビリの訓練を受け、その後数年たってしまった患者に対して行なった実験では、今までの速度の２〜３倍の速さで手足を動かすことができるが、筋肉萎縮や関節が拘縮してしまっているためか手足の屈曲、動きはぎこちなかった。それでも、この訓練を受けた後、手足が明らかに訓練前よりあたたかくなった（通常麻痺している手足は冷たくなっている）。また患者自身にその感覚を聞いてみるとザワザワした、今までと違った感じ、であるとのコメントが得られた。
【００２１】
何故このようなことが起きるか考察すると、脳卒中などで起きる麻痺は、学習された麻痺と言われている。詳しくは、卒中などで本物の手や足が麻痺するのは、脳の血管が詰まると、脳の前頭部から脊髄におりている神経繊維が酸素不足になって障害を受け、腕や脚が麻痺する。しかし、卒中の初期段階では、脳が膨張して、一時的に一部の神経が死んでしまう状態になるが、他の神経も文字どおり気絶状態になり、いわば「オフライン」のままに置かれ、腕や脚が機能していない間に脳は「腕が動いていない」という視覚のフィードバックを受けると考えられている。そして、膨張がおさまった後も、患者の脳は学習された麻痺の状態にとどまっている可能性がある。これが学習された麻痺といわれている所以である。
従って、本装置をつけたとき、自分のものと言い聞かせる必要がある。麻痺した腕や脚は自分のものではないと思っているから、麻痺した腕や脚に付したこの模様を見せることによって、視覚的フィードバックを起こさせ回復させることができると思われる。
【００２２】
原則的には、脳卒中患者を対象とするが、老齢化し手足が不自由な人、痴呆症、パーキンソン病など手足の震えに対しても有効な訓練法と思われる。その他、拒食症に対しても有効であると思われる。また、発症したあとすぐにこの訓練法を行なうことが望ましい。遅れれば遅れるほど、筋肉や関節の障害を受けリハビリがおぼつかない。また、摂食嚥下障害の人にも有効で、この装置を身につけることにより飲食がスムーズに行なわれた。
今までのリハビリテーションは、対症療法的なものであったが、この装置を使った訓練法は根本的訓練法と思われる。
【００２３】
尚、上記実施の形態で、網目模様は、正方形を行列状に列設して構成したが必ずしもこれに限定されるものではなく、例えば、図形として、円，正三角形，平行四辺形や六角形等種々の図形を単一もしくは組合せて規則的に列設して構成して良く、適宜変更して差支えない。また、その色分けも２色に限らず規則的であればどのような色でも良く、また、３色以上付しても良い。
更に、上記実施の形態で、正方形の色を白色及び黒色にしたが必ずしもこれに限定されるものではなく、種々の色で構成して良いことは勿論である。
【００２４】
【発明の効果】
以上説明したように、本発明の肢体機能訓練装置及び肢体機能訓練方法によれば、肢体機能訓練を行なう際、肢体機能訓練者が運動しようとする肢体に本装置を装着し、視認面の網目状模様を視認しながら肢体の運動をするようにすれば、色が互い違いに異なる網目状模様を視認すると、視覚を通じて特有の刺激が脳に生じる視覚系フィードバックに起因して、運動させる肢体に関する脳からの指令が活発化させられ、積極的に運動しようとする意志が増加する等の考えられる理由により、肢体機能の回復を促進することができる。その結果、肉体的苦痛や精神的苦痛をできるだけ伴わないようにして、自然に肢体機能を向上させることができ、肢体機能の回復効率の向上を図ることができる。
また、各正方形を隣接する正方形とは異なる白色及び黒色のいずれか一方の色に着色した場合には、確実に肢体機能に良好な作用をもたらすことができる。
【００２５】
そして、肢体機能訓練装置において、視認体を肢体に密着して被覆される袋状に形成した場合には、袋状なので、装着が容易で、容易に脱落することを防止することができる。
また、正方形の一辺の寸法Ｓを、５ｍｍ≦Ｓ≦１００ｍｍにした構成とし、望ましくは、１０ｍｍ≦Ｓ≦３０ｍｍにした場合には、この大きさの範囲で、確実に肢体機能に良好な作用をもたらすことができる。
【図面の簡単な説明】
【図１】本発明の第一及び第二の実施の形態に係る肢体機能訓練装置をその装着状態で示す図である。
【図２】本発明の第一及び第二の実施の形態に係る肢体機能訓練装置の要部図である。
【図３】本発明の第一及び第二の実施の形態に係る肢体機能訓練装置を用いた肢体訓練時の状態を示す図である。
【符号の説明】
Ｋａ，Ｋｂ　肢体機能訓練装置
１　視認体
２　視認面
３　網目状模様
【図１】
2004033649.tif 000003
【図２】
2004033649.tif 000004
【図３】
2004033649.tif 000005